(57)【要約】【課題】スピンドルを精密に軸受することができるとともに製造効率を向上させるブッシュを提供する。【解決手段】筒状のステム３とステム３内を進退可能に設けられたスピンドルとの間に介在配置されてスピンドルを進退方向Ａに摺動可能に軸受けするブッシュにおいて、ステム３とブッシュ７とにて挟まれる空気がスピンドル４の進退方向Ａの一方側から他方側へ往復移動可能な連通路としてのＶ溝７１が外周面に設けられている。【選択図】  図１
2004354191.tif 000002
【特許請求の範囲】
【請求項１】
筒状のステムと前記ステム内を進退可能に設けられたスピンドルとの間に介在配置されて前記スピンドルを進退方向に摺動可能に軸受けするブッシュにおいて、
前記ステムと該ブッシュとにて挟まれる空気が前記スピンドルの進退方向の一方側から他方側へ往復移動可能な連通路が外周面に設けられている
ことを特徴とするブッシュ。
【請求項２】
請求項１に記載のブッシュにおいて、
前記連通路は、前記外周面に前記スピンドルの進退方向に沿って形成された溝条である
ことを特徴とするブッシュ。
【請求項３】
筒状のステムと前記ステム内を進退可能に設けられたスピンドルとの間に介在配置されて前記スピンドルを進退方向に摺動可能に軸受けするブッシュにおいて、
前記ステムの内壁に固定されるとともに前記スピンドルとの間に所定間隔のスピンドル側空間を有する固定部と、
前記スピンドルを摺動可能に軸受けするとともに前記ステムの内壁との間に所定間隔のステム側空間を有する軸受部と、
前記スピンドル側空間と前記ステム側空間とを連通する連通孔と、を備えている
ことを特徴とするブッシュ。
【請求項４】
請求項３に記載のブッシュにおいて、
前記スピンドルの進退方向に所定間隔離隔して設けられた前記固定部と前記軸受部との間で前記固定部と前記軸受部とを連結する連結部を備え、
前記連通孔は、前記連結部に貫通形成されている
ことを特徴とするブッシュ。
【請求項５】
筒状のステムと、前記ステム内を進退可能に設けられ先端に被測定物に当接する測定子を有するスピンドルと、
請求項１または請求項２に記載のブッシュと、
前記スピンドルの進退量を表示する表示手段と、を備えている
ことを特徴とする測定器。
【請求項６】
筒状のステムと、前記ステム内を進退可能に設けられ先端に被測定物に当接する測定子を有するスピンドルと、
請求項３または請求項４に記載のブッシュと、
前記スピンドルの進退量を表示する表示手段と、を備えている
ことを特徴とする測定器。
【請求項７】
請求項５に記載の測定器を製造する測定器の製造方法であって、
前記ブッシュに前記連通路を形成した後に該ブッシュを前記ステムに圧入する
ことを特徴とする測定器の製造方法。
【請求項８】
請求項６に記載の測定器を製造する測定器の製造方法であって、
前記ブッシュに前記連通孔を形成した後に該ブッシュを前記ステムに圧入することを特徴とする測定器の製造方法。
【請求項９】
請求項６に記載の測定器を洗浄する測定器の洗浄方法であって、
前記スピンドル側空間、前記ステム側空間および前記連通孔を通って洗浄液を注入あるいは排出させる
ことを特徴とする測定器の洗浄方法。
【発明の詳細な説明】
【０００１】
【発明の属する技術分野】
本発明は、ブッシュ、測定器、測定器の製造方法および測定器の洗浄方法に関する。
【０００２】
【背景技術】
被測定物の寸法等を測定する測定器として図４に示されるダイヤルゲージ１が知られ（例えば、特許文献１）、さらに防水型のダイヤルゲージ１が知られている。このダイヤルゲージ１は、本体部２と、本体部２に設けられた筒状のステム３と、ステム３内を軸方向に進退可能に設けられ先端に被測定物に当接する測定子を有するスピンドル４と、ステム３内に設けられスピンドル４を軸受するブッシュ５と、本体部２の表面に設けられスピンドル４の軸方向変位量を指針６１により表示する表示手段６と、を備えている。
本体部２は防水性の密封構造とされ、本体部２内にはスピンドル４の移動量を拡大するとともに表示手段６の指針６１の回転運動に変換する移動量変換機構が設けられている（不図示）。このような移動量変換機構としてはスピンドル４に設けられたラックと、ラックに噛合するピニオンと、ピニオンの回転を指針６１に向けて伝達する歯車列とを備えた機構が挙げられる。
ブッシュ５は、ステム３に圧入されて外周面で固定されており、また内周面でスピンドル４を軸受する。図５（Ａ）および図５（Ｂ）に示されるように、ブッシュ５の内周にはスピンドル４の移動時に本体部２と外部とで空気を流通させるためのＶ溝５１が形成されている。Ｖ溝５１は、ブッシュ５の内周面でスピンドル４の軸方向に沿って形成されている。Ｖ溝５１は、ブッシュ５がステム３に圧入された後に形成される。
【０００３】
このような構成によれば、スピンドル４の変位量が表示手段６に表示されることにより被測定物の寸法等の測定値が得られる。スピンドル４が移動するとき、ブッシュ５とスピンドル４との間でＶ溝５１を通って空気が移動し、スピンドル４の移動に応じて本体部２内に空気が流入し、あるいは本体部２内から空気が流出する。
【０００４】
【特許文献１】
特開２００１−２６４００３号公報
【０００５】
【発明が解決しようとする課題】
しかしながら、軸受となるブッシュ５の内周にＶ溝５１を刻むと、Ｖ溝加工によるバリ（かえり、まくれ）がブッシュ５の内周に発生する。すると、スピンドル４の摺動にバリが影響し、スピンドル４の滑らかな移動が阻害されるという問題が生じる。スピンドル４の移動が阻害されると測定精度が劣化するという問題が生じる。
また、ブッシュ５の内周にＶ溝５１を形成するのでブッシュ５の内径への加工が必要となり加工コストが増大するという問題が生じる。
ブッシュ５をステム３に圧入した後にＶ溝加工を施す二次加工が行われた場合には、製造手順が複雑になるため製造コストが増大するという問題が生じる。
【０００６】
本発明の目的は、スピンドルを精密に軸受することができるとともに製造効率を向上させることができるブッシュ、測定器およびこの測定器の製造方法を提供し、また、簡便でかつ確実な測定器の洗浄方法を提供しようとすることにある。
【０００７】
【課題を解決するための手段】
請求項１に記載のブッシュは、筒状のステムと前記ステム内を進退可能に設けられたスピンドルとの間に介在配置されて前記スピンドルを進退方向に摺動可能に軸受けするブッシュにおいて、前記ステムと該ブッシュとにて挟まれる空気が前記スピンドルの進退方向の一方側から他方側へ往復移動可能な連通路が外周面に設けられていることを特徴とする。
【０００８】
このような構成によれば、スピンドルの進退方向に連通路を通じて空気の流れが形成される。例えば、ステムが密封構造の本体部に取り付けられた場合でも、スピンドルの進退に合わせて本体部に連通路を通じて空気が注入され、もしくは本体部から空気が排出される。
連通路は、ブッシュの外周面に形成されるので、スピンドルを軸受する内周面には何らの加工を施す必要がない。したがって、ブッシュの軸受面にはバリなどが発生せず、スピンドルを精密に軸受することができる。
連通路は、ブッシュの外周面に形成されるので、ブッシュの内径を加工することに比べて格段に容易に形成できる。従って、製造工程を簡略化して製造効率を向上させることができる。また、連通路も含めてブッシュの形状を形成した後でブッシュをステムに取り付けできるので、ブッシュをステムに取り付けたのちにステムを加工するなどの二次加工を必要としない。よって、製造ラインをストリーム化することにより、製造効率を向上させることができる。
【０００９】
請求項２に記載のブッシュは、請求項１に記載のブッシュにおいて、前記連通路は、前記外周面に前記スピンドルの進退方向に沿って形成された溝条であることを特徴とする。
このような構成によれば、ブッシュの外周面に溝を形成するだけであるので加工が容易であり、製造効率を向上させることができる。
【００１０】
請求項３に記載のブッシュは、筒状のステムと前記ステム内を進退可能に設けられたスピンドルとの間に介在配置されて前記スピンドルを進退方向に摺動可能に軸受けするブッシュにおいて、前記ステムの内壁に固定されるとともに前記スピンドルとの間に所定間隔のスピンドル側空間を有する固定部と、前記スピンドルを摺動可能に軸受けするとともに前記ステムの内壁との間に所定間隔のステム側空間を有する軸受部と、前記スピンドル側空間と前記ステム側空間とを連通する連通孔と、を備えていることを特徴とする。
【００１１】
このような構成によれば、固定部によりブッシュがステム内に固定され、軸受部によりスピンドルが軸受けされる。そして、スピンドル側空間の気体が連通孔を通ってステム側空間に流れ、ステム側空間の気体が連通孔を通ってスピンドル側空間に流れる。ステム内で空気の流路を形成することができるので、例えば、ステムが密閉構造の本体部に取り付けられた場合でも、スピンドルの移動に合わせて本体部内に空気が流入し、もしくは本体部から空気が排出される。
空気の流路を得るために軸受部のスピンドルを軸受する面には溝を形成するなどの加工を要しない。よって、軸受部の軸受面を滑らかにしてスピンドルを軸受する精度を向上させることができる。
連通孔を含めてブッシュの形状を形成してからブッシュをステムに取り付けることができるので、ブッシュをステムに取り付けたあとでブッシュに溝を形成するなどの二次加工を施す必要がない。よって、製造ラインをストリーム化することで製造効率を向上させることができる。
【００１２】
請求項４に記載のブッシュは、請求項３に記載のブッシュにおいて、前記スピンドルの進退方向に所定間隔離隔して設けられた前記固定部と前記軸受部との間で前記固定部と前記軸受部とを連結する連結部を備え、前記連通孔は、前記連結部に貫通形成されていることを特徴とする。
【００１３】
このような構成によれば、連結部に連通孔を連結部に穿設するだけでよいので簡便である。例えば、連結部として固定部と軸受部との間でステムにもスピンドルにも所定間隔離隔する連結部を設けておいて、この連結部のステム側とスピンドル側とを連通孔で貫通させればスピンドル側空間とステム側空間とを連通させることができる。ブッシュの内径への加工を必要としないことから加工工程を簡略化することができ、製造コストを削減することができる。
【００１４】
請求項５に記載の測定器は、筒状のステムと、前記ステム内を進退可能に設けられ先端に被測定物に当接する測定子を有するスピンドルと、請求項１または請求項２に記載のブッシュと、前記スピンドルの進退量を表示する表示手段と、を備えていることを特徴とする。
【００１５】
このような構成によれば、請求項１または請求項２に記載の発明と同様の作用効果を奏する測定器とすることができる。さらに、密閉構造の測定器のみならず総ての測定器のブッシュを共通化することで製造効率を高め、製造コストを削減することができる。密閉構造以外の測定器ではブッシュに連通路などの加工は本来必要ないが、総ての測定器の部品を共通化することで全体として部品点数を削減して、製造ラインも簡略化することができる。そして、ブッシュの外周面に溝などを形成することは、従来のように二次加工でブッシュ内径に溝を掘ることに比べて格段に容易であることから製造コストへの影響は小さく、むしろ全体として部品共通化と製造ラインのストリーム化により総ての測定器の製造コストを削減することができる。
【００１６】
請求項６に記載の測定器は、筒状のステムと、前記ステム内を進退可能に設けられ先端に被測定物に当接する測定子を有するスピンドルと、請求項３または請求項４に記載のブッシュと、前記スピンドルの進退量を表示する表示手段と、を備えていることを特徴とする。
このような構成によれば、請求項３または請求項４の発明と同様の作用効果を奏する測定器とすることができる。さらに、密閉構造の測定器のみならず総ての測定器のブッシュを共通化することで製造効率を高め、製造コストを削減することができる。部品共通化と製造ラインのストリーム化により総ての測定器の製造コストを削減することができる。
【００１７】
請求項７に記載の測定器の製造方法は、請求項５に記載の測定器を製造する測定器の製造方法であって、前記ブッシュに前記連通路を形成した後に該ブッシュを前記ステムに取り付けることを特徴とする。
このような構成によれば、ブッシュに連通路例えばＶ溝を形成したあとでブッシュをステムに取り付ける。すると、ステムにブッシュを取り付けたあとにさらにブッシュを加工するなどの二次加工を必要としない。よって、製造工程のストリームライン化を行うことで製造工程を簡略化することができ、製造効率を向上させることができる。
【００１８】
請求項８に記載の測定器の製造方法は、請求項６に記載の測定器を製造する測定器の製造方法であって、前記ブッシュに前記連通孔を形成した後に該ブッシュを前記ステムに取り付けることを特徴とする。
このような構成によれば、ステムにブッシュを取り付けたのちにブッシュを加工する二次加工を必要としないので、製造工程のストリームライン化を実現し、製造効率を向上させることができる。
【００１９】
請求項９に記載の測定器の洗浄方法は、請求項６に記載の測定器を洗浄する測定器の洗浄方法であって、前記スピンドル側空間、前記ステム側空間および前記連通孔を通って洗浄液を注入あるいは排出させることを特徴とする。すなわち、前記スピンドル側空間、前記ステム側空間および前記連通孔を通って洗浄液を前記ステム内に注入する洗浄液注入工程と、前記スピンドル側空間、前記ステム側空間および前記連通孔を通って洗浄液を前記ステム内から排出させる洗浄液排出工程と、を備えることを特徴とする。
このような構成によれば、ステム内に洗浄液を注入することができ、また、ステム内から洗浄液を排出させることができる。つまり、スピンドル側空間とステム側空間とが連通孔で連通されているので、洗浄液の流路を確保し、洗浄液の注入、排出によりステム内部を簡便に洗浄することができる。このとき、洗浄液の流れが形成されるので洗浄が確実に行われる。また、スピンドル側空間やステム側空間に洗浄液が残りにくいので、残液等による腐食を防止することができる。
【００２０】
【発明の実施の形態】
以下、本発明の実施の形態を図示例と共に説明する。
（第１実施形態）
図１に、本発明のブッシュおよびこのブッシュを備えた測定器の一実施形態としてダイヤルゲージ１を示す。
このダイヤルゲージ１の基本的構成は背景技術で説明したダイヤルゲージ１に同様であるが、ブッシュの構造に特徴を有する。図１中、背景技術（図４、図５）と同一の符号を付した部分は同一物を表わしている。
ブッシュ７は、円筒形状の外周面７２にステム３との間で空気を通気させる連通路としてのＶ溝（溝条）７１を有している。
ブッシュ７は、ステム３の先端から圧入され、ブッシュ７の外周面７２がステム３の内壁３１に固定されている。ブッシュ７の外径はステム３の内径に略同一であり、また、ステム３の内周が円形であることに合わせてブッシュ７の外周は円形に形成されている。
ブッシュ７の内径はスピンドル４の外径に略同一であり、ブッシュ７の内周面７３でスピンドル４が軸方向（図１中一点鎖線Ａ）に進退可能に軸受される。
Ｖ溝７１は、ブッシュ７の外周面７２にスピンドル４の進退方向Ａに沿ってブッシュ７の一端から他端にわたって断面Ｖ字状に切欠いて形成されている。Ｖ溝７１は、二条設けられており、ブッシュ７の直径方向の両側にそれぞれ設けられている。
【００２１】
なお、連通路としての溝の形状はＶ字に限られず例えばＵ字状でも底面が平坦の溝であっても良いことはもちろんである。ただし、Ｖ字である場合には、加工が容易であり製造コストを低減できる。また、溝の本数も二条でも三条でも良い。溝は直線状に限らず、例えば、らせん状などの曲線でもよいことはもちろんである。
Ｖ溝７１は、ブッシュ７の形状が形成されるときに同時に形成される。そして、Ｖ溝７１を含めてブッシュ７の形状が形成された後、ブッシュ７はステム３に圧入される。
【００２２】
このような第１実施形態の動作について説明する。
スピンドル４を軸方向Ａに進退させる。例えば、スピンドル４を本体部２から引き出す場合、ステム３とブッシュ７との間でＶ溝を通って空気が本体部２内に入流する。スピンドル４を本体部２に向けて押込んだ場合、本体部２内の空気がＶ溝７１を通って本体部２内から外部に押し出される。
【００２３】
このような第１実施形態によれば、次の効果を奏することができる。
（１）Ｖ溝７１がブッシュ７の外側なので、スピンドル４を軸受する内周面７３にはバリが発生しない。従って、スピンドル４がブッシュ７の軸受により滑らかに摺動できる。その結果、ダイヤルゲージ１の測定精度が向上させる。
【００２４】
（２）Ｖ溝７１がブッシュ７の外周面７２に形成されるのでＶ溝７１の加工が非常に簡便である。従来のようにブッシュ７の内径を加工する場合に比べると加工が簡単であるので、加工コストを低減させることができる。
【００２５】
（３）ブッシュ７にＶ溝７１まで含めて形成したのちにステム３に圧入するので、圧入後の二次加工が必要ない。その結果、製造工程がストリーム化され、製造効率を向上させ、結果として製造コストを低減させることができる。
【００２６】
（４）防水型のダイヤルゲージ１に限らず、総てのダイヤルゲージ１のブッシュ７として共通化して用いることができる。防水型でないダイヤルゲージ１であればＶ溝７１を有している必要はないのであるが、ブッシュ７の外周にＶ溝７１を形成するのは容易であるので、Ｖ溝７１を備えるブッシュ７を用いても加工コストを押し上げる効果は少ない。そして、防水型と防水型以外とで部品を共通化することにより、全体として部品点数を削減するとともに製造ラインを簡略化できる。その結果、すべてのダイヤルゲージ１の製造コストを低減することができる。
【００２７】
（第２実施形態）
本発明のブッシュおよびこのブッシュを備えた測定器の第２実施形態について図２を参照して説明する。第２実施形態の基本的構成は背景技術（図４、図５）で説明した構成に同様であるが、ブッシュの構成に特徴を有する。
ブッシュ８は、ステム３の内壁に固定されるとともにスピンドル４との間に所定間隔のスピンドル側空間８１１を有する固定部８１と、スピンドル４を摺動可能に軸受けするとともにステム３の内壁との間に所定間隔のステム側空間８２１を有する軸受部８２と、固定部８１と軸受部８２とを連結する連結部８３と、スピンドル側空間８１１とステム側空間８２１とを連通する連通孔８４と、を備えている。
【００２８】
ブッシュ８は、全体に略円筒形状であり、ステム３の先端から圧入されている。ブッシュ８は、スピンドル４の進退方向Ａに沿って一端から他端に向けて順に固定部８１、連結部８３および軸受部８２を有し、固定部８１からステム３に圧入される。
固定部８１は、円筒形状でステム３の内径に略同一の外径を有する。ブッシュ８がステム３に圧入されると、固定部８１の外周面がステム３の内壁に固定される。固定部８１の内径は、スピンドル４の外径よりも僅かに大きく、スピンドル４との間に所定の間隔を有しスピンドル側空間８１１が形成されている。
【００２９】
軸受部８２は、円筒形状でスピンドル４の外径に略同一の内径を有する。軸受部８２の内周面によってスピンドル４が軸受される。
軸受部８２の外径は、ステム３の内径よりもわずかに小さく、ステム３の内周面との間に所定の間隔を有しステム側空間８２１が形成されている。
連結部８３は、固定部８１と軸受部８２との間に設けられ、固定部８１の他端と軸受部８２の一端とを連結している。連結部８３は、円筒形状であって、内径はスピンドル４の外径よりも大きく、また、外径はステム３の内径よりも小さい。つまり、連結部８３は、ステム３およびスピンドル４との間にそれぞれ所定の間隔を有している。
【００３０】
連通孔８４は、連結部８３の外周と内周とを連通している。連通孔８４は、固定部８１と連結部８３との境界部分で、固定部８１の一部を切り欠くとともに連結部８３を貫通して穿設されている。
ブッシュ８は、固定部８１、連結部８３および軸受部８２が連続一体的に一体形成されている。ブッシュ８は、連通孔８４も含めて形状が形成されたのち、固定部８１からステム３に圧入されている。
【００３１】
このような第２実施形態の動作について説明する。
スピンドル４を軸方向Ａに進退させる。例えば、スピンドル４を本体部２から引き出す場合、空気が本体部２内に流入する。このとき、ステム３と軸受部８２との間のステム側空間８２１から連結部８３の外周側に空気が流入する。連結部８３の外周側から連通孔８４を通って固定部８１とスピンドル４との間のスピンドル側空間８１１へ抜けて、本体部２内へ空気が流入する。
スピンドル４を本体部２に向けて押込んだ場合、本体部２内の空気が外部へ押し出される。このときは、スピンドル側空間８１１から連通孔８４を通ってステム側空間８２１へ空気が抜ける。
【００３２】
このような第２実施形態によれば、第１実施形態（１）から（４）と同様の効果を奏する。
また、本実施形態のブッシュ８を総てのダイヤルゲージ１に共通化すると、ダイヤルゲージ１に洗浄液を注入し、またダイヤルゲージ１から洗浄液を排出することができる。つまり、図３に示されるように、空気が流入、流出するのと同じ経路（図３中矢印Ｂ）で洗浄液を注入、排出することができる。
ここで、連通孔８４が無い場合にはステム側空間８２１から空気の逃げ場がないことから、ステム側空間８２１に洗剤液を注入することが困難であり、また、ステム側空間８２１に流入した洗浄液を排出することが困難となる。しかし、連通孔８４が設けられ、さらに、連通孔８４からスピンドル側空間８１１に繋がっていることから洗浄液の流れができ、ダイヤルゲージ１を効果的に洗浄することができる。
【００３３】
尚、本発明のブッシュ、測定器、測定器の製造方法および測定器の洗浄方法は、上記実施形態にのみ限定されるものではなく、本発明の要旨を逸脱しない範囲内において種々変更を加え得ることは勿論である。
測定器は、ハンドツールの測定器としてダイヤルゲージ１に限られず、マイクロメータ、マイクロメータヘッドなどでもよく、要はスピンドル４を摺動可能に軸受するブッシュを備えた測定器であればよい。あるいは、先端にバイト（刃）を有するスピンドル４を摺動可能に軸受するブッシュを備えた工作機械等でもよい。
【００３４】
ブッシュ７、８は円筒形状であるとして説明したが、断面形状は円形に限られず、スピンドル４やステム３の形状にあわせて多角形であってもよい。つまり、ステム３の内周の断面形状が多角形であれば、ブッシュ７、８の外周をステム３の内周に合わせた多角形に形成する。スピンドル４の断面形状が多角形であればブッシュ７、８の軸受面もスピンドル４の外形に合わせて多角形にする。
【００３５】
第２実施形態において、固定部８１と軸受部８２との間に連結部８３が設けられ、連結部８３を貫通して連通孔８４が形成されるとして説明したが、連結部８３は必ずしも必要ではなく、固定部８１と軸受部８２とが直接に繋がっていてもよい。そして連通孔８４は、スピンドル側空間８１１とステム側空間８２１とを連通してブッシュ７、８に穿設されていればよい。
ブッシュ７、８は固定部８１からステム３に圧入されているが、軸受部８２からステム３に圧入されていてもよい。
【００３６】
【発明の効果】
以上、説明したように本発明のブッシュ、測定器、測定器の製造方法によれば、スピンドルを精密に軸受することができるとともに製造効率を向上させることができ、また本発明の測定器の洗浄方法によれば、簡便でかつ確実に測定器を洗浄することができるという優れた効果を奏し得る。
【図面の簡単な説明】
【図１】（Ａ）は本発明の測定器に係る第１実施形態の要部の断面図である。（Ｂ）は（Ａ）中Ｉ−Ｉ線での断面図である。
【図２】（Ａ）は本発明の測定器に係る第２実施形態の要部の断面図である。（Ｂ）は（Ａ）中ＩＩ−ＩＩ線での断面図である。
【図３】本発明の測定器の洗浄方法において洗浄液の流路を示す図である。
【図４】従来の測定器を示す図である。
【図５】従来の測定器においてブッシュの構造を示す図である。
【符号の説明】
１…ダイヤルゲージ（測定器）
３…ステム
４…スピンドル
５、７、８…ブッシュ
６…表示手段
７１…Ｖ溝（連通路、溝条）
８１…固定部
８２…軸受部
８３…連結部
８４…連通孔
８１１…スピンドル側空間
８２１…ステム側空間
【図１】
2004354191.tif 000003
【図２】
2004354191.tif 000004
【図３】
2004354191.tif 000005
【図４】
2004354191.tif 000006
【図５】
2004354191.tif 000007